(57)【要約】【課題】本発明は、レンズカバーを取り外さなくても撮像レンズを外部に大きく臨ませることができる監視カメラを提供することを課題とする。【解決手段】本発明の監視カメラ２０は、撮像レンズ２２を覆うようにハウジング２に隣接して配置されるレンズカバー３を備えると共に、レンズカバー３がハウジング２に対して予め設定した距離で離反した位置で、レンズカバー３からハウジング２側に向かって延出するカバー延出部４を、ハウジング２に対して係止することを特徴とする。【選択図】図２
2011227272.tif 000002
【特許請求の範囲】
【請求項１】
カメラ本体から突出するように撮像レンズを有する監視カメラであって、
前記カメラ本体を収容するハウジングと、
前記撮像レンズを覆うように前記ハウジングに隣接して配置されるレンズカバーと、
前記レンズカバーから前記ハウジング側に向かって延出するように前記レンズカバーに設けられるカバー延出部と、
前記ハウジングに設けられ、前記レンズカバーが前記ハウジングに対して離反する際にこの離反方向に沿って前記カバー延出部を案内しつつ支持する案内支持部と、
前記レンズカバーが前記ハウジングに対して予め設定した距離で離反した位置で、前記ハウジングに対して前記カバー延出部を係止する係止手段と、
を備えることを特徴とする監視カメラ。
【請求項２】
請求項１に記載の監視カメラにおいて、
前記係止手段は、前記カバー延出部の先端及び前記ハウジングのいずれか一方に設けられる凸部と、前記カバー延出部の先端及び前記ハウジングのいずれか他方に設けられ、前記凸部を嵌脱自在に受け入れる凹部で形成され、
前記レンズカバーは、前記凹部に受け入れられた前記凸部を中心に前記カバー延出部を介して回動可能となっていることを特徴とする監視カメラ。
【請求項３】
請求項２に記載の監視カメラにおいて、
前記ハウジングは、前記レンズカバーを予め設定した所定の回動角度で保持する角度保持機構を更に備えることを特徴とする監視カメラ。
【請求項４】
請求項１から請求項３のいずれか１項に記載の監視カメラにおいて、
前記レンズカバーと前記カバー延出部とは一体成形されていることを特徴とする監視カメラ。
【請求項５】
カメラ本体から突出するように撮像レンズを有する監視カメラであって、
前記カメラ本体を収容するハウジングと、
前記撮像レンズを覆うように前記ハウジングに隣接して配置されるレンズカバーと、
前記ハウジングから前記レンズカバー側に向かって延出するように前記ハウジングに設けられるハウジング延出部と、
前記レンズカバーに設けられ、前記レンズカバーが前記ハウジングに対して離反する際に前記ハウジング延出部の延出方向に沿って案内されつつ支持される被案内支持部と、
前記レンズカバーが前記ハウジングに対して予め設定した距離で離反した位置で、前記ハウジング延出部に対して前記レンズカバーを係止する係止手段と、
を備えることを特徴とする監視カメラ。
【請求項６】
請求項５に記載の監視カメラにおいて、
前記係止手段は、前記ハウジング延出部の先端及び前記レンズカバーのいずれか一方に設けられる凸部と、前記ハウジング延出部の先端及び前記レンズカバーのいずれか他方に設けられ、前記凸部を嵌脱自在に受け入れる凹部で形成され、
前記レンズカバーは、前記凹部に受け入れられた前記凸部を中心に回動可能となっていることを特徴とする監視カメラ。
【請求項７】
請求項６に記載の監視カメラにおいて、
前記レンズカバーは、前記レンズカバーを予め設定した所定の回動角度で保持する角度保持機構を更に備えることを特徴とする監視カメラ。
【請求項８】
請求項５から請求項７のいずれか１項に記載の監視カメラにおいて、
前記ハウジングと、前記ハウジング延出部とは一体成形されていることを特徴とする監視カメラ。
【発明の詳細な説明】
【技術分野】
【０００１】
本発明は、監視カメラに関し、特にレンズカバー構造を工夫した監視カメラに関する。
【背景技術】
【０００２】
昨今、監視カメラは、例えば防犯、防災、計測、記録等の目的で広く使用されており、カメラ本体から突出するように撮像レンズを備えるものが知られている。
従来、撮像レンズを覆うために、カメラ本体自体にレンズカバーを取り付けたもの（例えば、特許文献１等参照）や、カメラ本体を収容するハウジングにレンズカバーを取り付けたもの（例えば、特許文献２及び特許文献３等）が知られている。
このようなレンズカバー構造によれば、外部に露出する撮像レンズをレンズカバーで保護することができる。
【０００３】
その一方で、監視カメラは、例えば、フォーカス、ズーム、画角等の調整や、保守点検を行うために、定期的に撮像レンズを外部に露出させる必要がある。
ちなみに、特許文献１及び特許文献３に記載のレンズカバー構造においては、レンズカバーをカメラ本体やハウジングから取り外すことで撮像レンズを外部に臨ませることができる。また、特許文献２に記載のレンズカバー構造は、レンズカバーが内外２重の円筒で形成されており、それぞれの円筒の周面に形成された開口が相互に重なり合うように内外いずれかの円筒を回転させることで、開口を介して撮像レンズを外部に臨ませることができるようになっている。
【先行技術文献】
【特許文献】
【０００４】
【特許文献１】特開２００１−６９３８１号公報
【特許文献２】特許４０１７９４６号公報
【特許文献３】特許３９０１５４５号公報
【発明の概要】
【発明が解決しようとする課題】
【０００５】
しかしながら、監視カメラは、高所に配置される場合が多く、例えば、特許文献１及び特許文献３に記載のレンズカバー構造では、撮像レンズを露出させるために取り外したレンズカバーの置き場所を確保し辛い問題がある。
また、特許文献２に記載のレンズカバー構造では、撮像レンズを外部に露出させる開口の大きさが、レンズカバーに周面に形成された開口の大きさに制限されるために、撮像レンズを外部に十分に臨ませることができない問題がある。その結果、撮像レンズの調整や保守点検に手間取る場合がある。
したがって、レンズカバーを取り外さなくても撮像レンズを外部に大きく臨ませることができる監視カメラが望まれている。
【０００６】
そこで、本発明の課題は、レンズカバーを取り外さなくても撮像レンズを外部に大きく臨ませることができる監視カメラを提供することにある。
【課題を解決するための手段】
【０００７】
前記課題を解決した本発明は、カメラ本体から突出するように撮像レンズを有する監視カメラであって、前記カメラ本体を収容するハウジングと、前記撮像レンズを覆うように前記ハウジングに隣接して配置されるレンズカバーと、前記レンズカバーから前記ハウジング側に向かって延出するように前記レンズカバーに設けられるカバー延出部と、前記ハウジングに設けられ、前記レンズカバーが前記ハウジングに対して離反する際にこの離反方向に沿って前記カバー延出部を案内しつつ支持する案内支持部と、前記レンズカバーが前記ハウジングに対して予め設定した距離で離反した位置で、前記ハウジングに対して前記カバー延出部を係止する係止手段と、を備えることを特徴とする。
【０００８】
また、前記課題を解決した本発明は、カメラ本体から突出するように撮像レンズを有する監視カメラであって、前記カメラ本体を収容するハウジングと、前記撮像レンズを覆うように前記ハウジングに隣接して配置されるレンズカバーと、前記ハウジングから前記レンズカバー側に向かって延出するように前記ハウジングに設けられるハウジング延出部と、前記レンズカバーに設けられ、前記レンズカバーが前記ハウジングに対して離反する際に前記ハウジング延出部の延出方向に沿って案内されつつ支持される被案内支持部と、前記レンズカバーが前記ハウジングに対して予め設定した距離で離反した位置で、前記ハウジング延出部に対して前記レンズカバーを係止する係止手段と、を備えることを特徴とする。
【発明の効果】
【０００９】
本発明によれば、レンズカバーを取り外さなくても撮像レンズを外部に大きく臨ませることができる監視カメラを提供することができる。
【図面の簡単な説明】
【００１０】
【図１】本発明の実施形態に係る監視カメラの斜視図である。
【図２】本発明の実施形態に係る監視カメラの分解斜視図である。
【図３】本発明の実施形態に係る監視カメラを構成するレンズカバー及びカバー延出部の側面図である。
【図４】（ａ）は、図２のIVａ−IVａ断面図、（ｂ）は、図２のIVｂ−IVｂ断面図である。
【図５】（ａ）から（ｃ）は、本発明の実施形態に係る監視カメラの動作を示す、図１のＶ−Ｖ断面に対応する断面図であって、カメラ本体の記載を省略し、撮像レンズの輪郭のみを破線で表した図である。
【図６】本発明の他の実施形態に係る監視カメラの構成説明図である。
【発明を実施するための形態】
【００１１】
以下に、本発明の監視カメラの実施形態について適宜図面を参照しながら詳細に説明する。なお、以下の説明における前後左右上下の方向は、図１に示す監視カメラの前後左右上下の方向を基準とする。
【００１２】
図１に示すように、本実施形態に係る監視カメラ２０が有するレンズカバー構造１（ハウジング２及びレンズカバー３）は、その外形が略直方体の形状を呈する箱体で形成されている。
なお、図１中、符号２１は、カメラ本体であり、符号２２は、撮像レンズであり、符号２は、ハウジングであり、符号３は、レンズカバーである。
【００１３】
本実施形態に係る監視カメラ２０は、固定型ビデオカメラ（据え置きカメラ）であって、図２に示すように、カメラ本体２１と、このカメラ本体２１から前方に突出するように設けられた撮像レンズ２２と、ハウジング２と、レンズカバー３とを備えている。
カメラ本体２１は、略矩形の板体からなる前部ブラケット２３と後部ブラケット２５との間に各種の電気回路構成部品を組み付けた回路基板２４等を備えて構成されている。
撮像レンズ２２は、図示しないレンズ群と、このレンズ群の後方に配置される図示しない撮像素子とを内蔵しており、その外形は略円柱形状を呈している。また、撮像レンズ２２は、監視カメラ２０のフォーカスや、ズーム、画角等を調整するためのレバー２２ａを備えている。
【００１４】
本実施形態に係る監視カメラ２０は、図１に示すように、カメラ本体２１を収容するハウジング２と、ハウジング２の前方でこれに隣接して配置されるレンズカバー３とを備えると共に、図２に示すように、レンズカバー３からハウジング２側に向かって延出するようにレンズカバー３に設けられるカバー延出部４と、このカバー延出部４を後記する所定の方向に案内しつつ支持する案内支持部５と、ハウジング２に対してカバー延出部４を係止する係止手段６と、を更に備えて構成されている。
【００１５】
ハウジング２は、図２に示すように、その断面形状が矩形の有底の筒状体で形成されている。ハウジング２の開口部の大きさは、カメラ本体２１の前部ブラケット２３と後部ブラケット２５とが収まる大きさに設定されている。また、ハウジング２の内側の奥行き（内側の前後方向の長さ）は、前部ブラケット２３と後部ブラケット２５との厚さを含めた前部ブラケット２３と後部ブラケット２５との距離よりも長くなるように設定されている。つまり、ハウジング２の内側の奥行きは、ハウジング２内にカメラ本体２１を収容した際に、前部ブラケット２３がハウジング２の開口部を概ね塞ぐことができるように設定されている。
図２中、符号２３ａは、前部ブラケット２３の左右両側に設けられた切欠き部である。この切欠き部２３ａは、前部ブラケット２３がハウジング２の開口部を塞いだ際に、後記するカバー延出部４のハウジング２内への進退を可能にしている。
ハウジング２の形成材料としては、例えば、樹脂、金属等が挙げられる。
【００１６】
レンズカバー３は、図１及び図２に示すように、その断面形状がハウジング２の断面形状と略同じ筒状体で形成されている。そして、レンズカバー３の後側の開口部の大きさは、ハウジング２の前側の開口部と同じ大きさに設定されている。
レンズカバー３の内側の奥行き（内側の前後方向の長さ）は、レンズカバー３の後側の開口部をハウジング２の前側の開口部に合わせた際に、撮像レンズ２２がレンズカバー３の内側に収まる長さに設定されている。
レンズカバー３の前側は、撮像レンズ２２の前端が臨む、円形開口３ａを残して塞がれている。ちなみに、この円形開口３ａは、ガラス、樹脂等の光透過性の板材で封止されていてもよい。
レンズカバー３の形成材料としては、例えば、樹脂、金属等が挙げられる。
【００１７】
カバー延出部４は、図２に示すように、レンズカバー３の左右に一対設けられている。
カバー延出部４，４は、前後方向に長い平板で形成されており、前記したように、レンズカバー３からハウジング２側に向かって延出している。更に具体的には、カバー延出部４は、図３に示すように、その基端がレンズカバー３の後端における上下方向の略中央部に接続され、その基端から同じ幅で更に後方に延出している。
このカバー延出部４は、レンズカバー３と一体成形されたものが望ましい。
カバー延出部４の形成材料としては、例えば、樹脂、金属等が挙げられる。
【００１８】
案内支持部５は、図２に示すように、ハウジング２の左右の内壁にそれぞれ設けられた溝で形成されている。更に具体的には、案内支持部５は、図４（ａ）に示すように、ハウジング２の前後上下方向にカバー延出部４（図３参照）が収まるように、カバー延出部４と略同じ長さ及び幅で形成されている。そして、図４（ｂ）に示すように、案内支持部５としての溝内には、カバー延出部４（図４（ｂ）中、仮想線で表す）の左右方向の外側半分が部分的に受け入れられるようになっている。つまり、案内支持部５は、受け入れたカバー延出部４を前後方向（図４（ｂ）の紙面に対して垂直な方向）に摺動可能なように案内すると共に、受け入れたカバー延出部４が上下方向に振れないように支持する構成となっている。
【００１９】
係止手段６は、後記するように、図２に示すレンズカバー３が撮像レンズ２２を外部に大きく臨ませるようにハウジング２に対して予め設定した距離で離反した位置において、ハウジング２からレンズカバー３が離脱しないように、ハウジング２に対してカバー延出部４を係止するものである。
具体的には、係止手段６は、図２に示すカバー延出部４の先端に設けられた第１突起（凸部）６ａと、図２に示すハウジング２の開口近傍で案内支持部５としての溝内に設けられた第１穴部（凹部）６ｂとで構成されている。
第１突起６ａは、図２に示すように、カバー延出部４の先端で左右方向の外側に突出する半球形状を呈している。そして、第１穴部６ｂは、第１突起６ａを嵌脱自在に受け入れ可能な大きさで形成されている。なお、本実施形態での第１穴部６ｂは、ハウジング２の内外を貫通するように設けられているが、第１突起６ａが収まる大きさの非貫通穴であってもよい。
そして、第１穴部６ｂに第１突起６ａが嵌り込むことによって、カバー延出部４は、第１突起６ａを中心に回動可能となっている。
【００２０】
また、本実施形態に係る監視カメラ２０は、図２に示すように、第１突起６ａを中心に回動するカバー延出部４の回動角度を所定角度に保持する角度保持機構７を更に備えている。
この角度保持機構７は、案内支持部５としての溝の前方に形成される傾斜面で構成されている。この傾斜面は、前方に下り勾配となっており、後記するように、第１穴部６ｂに受け入れられた第１突起６ａを中心に回動するカバー延出部４を受け止めるようになっている。つまり、この角度保持機構７は、カバー延出部４を介して第１突起６ａを中心に回動することとなるレンズカバー３の回動角度を、傾斜面の形成角度に合わせて保持するように構成されている。
【００２１】
また、本実施形態に係る監視カメラ２０は、補助係止手段８を更に備えている。
この補助係止手段８は、図２に示す第２穴部８ｂと、第２突起８ａとで構成されている。
第２穴部８ｂは、カバー延出部４が案内支持部５としての溝内に差し込まれて収まった際に、第１突起６ａを嵌脱自在に受け入れ可能な大きさで案内支持部５の後部に設けられている。本実施形態での第２穴部８ｂは、ハウジング２の内外を貫通するように設けられているが、第１突起６ａが収まる大きさの非貫通穴であってもよい。
第２突起８ａは、図２に示す案内支持部５としての溝内にカバー延出部４が差し込まれて収まった際に、前記した第１穴部６ｂに受け入れ可能なようにカバー延出部４の基端に設けられている。
更に具体的には、第２突起８ａは、図２及び図３に示すように、平板状のカバー延出部４にＵ字状のスリット８ｄを設けることで、カバー延出部４の基端側から延びるように形成された舌片８ｃ上に設けられている。
この第２突起８ａは、図２に示すように、舌片８ｃの先端で左右方向の外側に突出する半球形状を呈している。
なお、本実施形態に係る監視カメラ２０においては、第１突起６ａ及び第２突起８ａの高さを適宜変更することによって、第１穴部６ｂ及び第２穴部８ｂに対する第１突起６ａ及び第２突起８ａの嵌脱フィーリングを調節することができる。
【００２２】
次に、本実施形態に係る監視カメラ２０の動作について説明する。
図５（ａ）に示すように、この監視カメラ２０においては、レンズカバー３がハウジング２の前方で隣接するように配置されている場合には、レンズカバー３は、撮像レンズ２２の前端が円形開口３ａで臨むようにして、撮像レンズ２２の周囲を覆っている。その結果、レンズカバー３は、撮像レンズ２２を保護することができる。
この際、カバー延出部４は、案内支持部５（図２参照）としての溝内に差し込まれて収まっていると共に、第１突起６ａは第２穴部８ｂ（図２参照）に嵌り込み、第２突起８ａは第１穴部６ｂ（図２参照）に嵌り込んでいる。その結果、レンズカバー３は、ハウジング２の前方で隣接するように位置決めされる。
【００２３】
次に、ユーザーが撮像レンズ２２の調整や定期点検等の作業を行う際に、図５（ｂ）に示すように、レンズカバー３をハウジング２に対して前方に離反させると、カバー延出部４の先端が内側寄りに撓むことで第１突起６ａは第２穴部８ｂから脱する。そして、第２突起８ａは、舌片８ｃの先端が内側寄りに撓むことで第１穴部６ｂから脱する。
この際、カバー延出部４は、案内支持部５に案内されつつ支持されて、案内支持部５としての溝内を前方に向かって摺動可能となっている。
【００２４】
そして、図５（ｃ）に示すように、カバー延出部４の先端が案内支持部５の前端に到達すると、撓んでいたカバー延出部４の先端が弾性復元して、第１突起６ａは第１穴部６ｂに嵌り込む。その結果、カバー延出部４は、第１突起６ａを中心に回動可能となる。つまり、レンズカバー３は、カバー延出部４を介して第１突起６ａを中心に下方向に回動する。つまり、撮像レンズ２２は、ハウジング２の前方で大きく外部に臨むこととなる。
そして、第１穴部６ｂに受け入れられた第１突起６ａを中心に回動するカバー延出部４が傾斜面で構成される角度保持機構７に受け止められることによって、レンズカバー３は、撮像レンズ２２を大きく外部に臨ませた回動角度を維持してハウジング２に保持される。
なお、図５（ｃ）中、符号８ｂは、第２穴部である。
【００２５】
以上のような監視カメラ２０によれば、撮像レンズ２２を外部に臨ませるように、レンズカバー３をハウジング２に対して予め設定した距離で離反させた際に、係止手段６がハウジング２に対してカバー延出部４を係止するので、従来の監視カメラ（例えば、特許文献１及び特許文献３参照）のようにレンズカバーを取り外すものと異なって、レンズカバー３の置き場所を確保する必要がない。
【００２６】
また、監視カメラ２０によれば、ハウジング２に対して離反させたレンズカバー３がカバー延出部４を介して第１突起６ａを中心に下方向に回動するので、撮像レンズ２２を大きく外部に臨ませることができる。
【００２７】
また、監視カメラ２０によれば、角度保持機構７によってレンズカバー３を所定の回動角度となるように保持することができるので、撮像レンズ２２の調整や定期点検等の作業時に、レンズカバー３が不用意に回動して作業を阻害するのを防止することができる。
【００２８】
以上、本発明の実施形態について説明したが、本発明は前記実施形態に限定されず、種々の他の形態で実施することができる。なお、以下に本発明の他の実施形態について説明するが、前記実施形態と同一の構成要素については同一の符号を付してその詳細な説明は省略する。
【００２９】
前記実施形態では、レンズカバー３がハウジング２から離反した際に、レンズカバー３から延出するカバー延出部３がハウジング２に係止される構成となっているが、本発明は、ハウジング２側からの延出部にレンズカバー３が係止される構成であってもよい。次に参照する図６は、本発明の他の実施形態に係る監視カメラの構成説明図である。なお、この図６は、前記実施形態に係る図５（ｃ）に対応する図である。
【００３０】
図６に示すように、この監視カメラ３０は、ハウジング２からレンズカバー３側に向かって延出するハウジング延出部１４を備えている。このハウジング延出部１４は、ハウジング２と一体成形されている。
このハウジング延出部１４は、ハウジング２から延出している以外は、前記実施形態でのカバー延出部４（図２参照）と同様に構成され、ハウジング延出部１４の先端に第１突起６ａを備えると共に、基端に設けられた舌片８ｃの先端に第２突起８ａを備えている。
【００３１】
また、この監視カメラ３０は、レンズカバー３に被案内支持部１５が形成されている。この被案内支持部１５は、前記実施形態での案内支持部５（図２参照）と同様の溝で形成され、溝内に収まったハウジング延出部１４が摺動可能なように案内すると共に支持する構成となっている。
【００３２】
また、図６に示すように、被案内支持部１５は、前記実施形態での案内支持部５（図２参照）と同様に、第２穴部８ｂを備えている。この第２穴部８ｂは、図示しないが、ハウジング２の前方にレンズカバー３が隣接するように配置された際に、ハウジング延出部１４の第１突起６ａが嵌脱自在に嵌り込むように形成されている。
【００３３】
また、被案内支持部１５は、前記実施形態と同様に、ハウジング延出部１４の第１突起６ａが嵌脱自在に嵌り込む第１穴部６ｂを備えている。なお、第１突起６ａ及び第１穴部６ｂは、係止手段に相当し、第１突起６ａは、凸部に相当し、第１穴部６ｂは、凹部に相当する。
ちなみに、図示しないが、この第１穴部６ｂには、ハウジング２の前方にレンズカバー３が隣接するように配置された際に、前記実施形態と同様に、ハウジング延出部１４の基端に設けられた第２突起８ａが嵌脱自在に嵌り込むこととなる。
【００３４】
この監視カメラ３０は、図６に示すように、ハウジング２からレンズカバー３が離反して撮像レンズ２２が外部に臨んだ際に、前記実施形態と同様に、第１穴部６ｂに第１突起６ａが嵌り込むことによって、ハウジング延出部１４に対してレンズカバー３が係止されると共に、レンズカバー３が第１突起６ａを中心に下方向に回動する。
【００３５】
また、監視カメラ３０は、前記実施形態と同様に、下方向に回動したレンズカバー３が所定の回動角度となるように保持する、傾斜面からなる角度保持機構７を備えている。
【００３６】
このような監視カメラ３０によれば、前記実施形態と同様の効果を奏することができる。また、この監視カメラ３０によれば、レンズカバー３の回動中心となる第１突起６ａを撮像レンズ２２の先端寄りに配置することができるので、レンズカバー３の回動半径を小さくすることができる。その結果、監視カメラ３０は、回動するレンズカバー３の干渉範囲が狭まるので、設置場所の選択範囲が広がる。
【００３７】
また、前記実施形態では、補助係止手段８としての第２突起８ａをカバー延出部４の基端に設けたが、本発明はこの第２突起８ａを省略した構成であってもよい。また、第２突起８ａを省略した監視カメラ２０においては、図２に示す前部ブラケット２３の切欠き部２３ａとハウジング２の内壁との間の距離をカバー延出部４の厚さ程度に設定することで、第１突起６ａを有するカバー延出部４の先端が、ハウジング２内から抜け出ることを、より確実に防止することができる。
【００３８】
また、前記実施形態では、案内支持部５をハウジング２の内壁に設けているが、本発明は、案内支持部５をハウジング２の外壁に設けてもよいし、壁厚内に設けてもよい。
【００３９】
また、前記実施形態では、係止手段６として、カバー延出部４側に第１突起６ａ（凸部）を設け、ハウジング２側に第１穴部６ｂ（凹部）を設けたが、本発明はカバー延出部４側に凹部を設け、ハウジング２側に凸部を設けることもできる。
【符号の説明】
【００４０】
１      レンズカバー構造
２      ハウジング
３      レンズカバー
４      カバー延出部
５      案内支持部
６      係止手段
６ａ    第１突起
６ｂ    第１穴部
７      角度保持機構
１４    ハウジング延出部
１５    被案内支持部
２０    監視カメラ
２１    カメラ本体
２２    撮像レンズ
３０    監視カメラ
【図１】
2011227272.tif 000003
【図２】
2011227272.tif 000004
【図３】
2011227272.tif 000005
【図４】
2011227272.tif 000006
【図５】
2011227272.tif 000007
【図６】
2011227272.tif 000008